(57)【要約】      （修正有）【課題】使用中に、レンチの第１の受け工具に対する上方または下方への移動を止め可能なレンチと受け装置のコンビネーションを提供する。【解決手段】一端に駆動部分２３が設けられているレンチ２００と、第１の受け工具１０と、第２の受け工具３０と、を備える。第１の受け工具は軸線を有し、軸線は、一端に接合部分１１が設けられ、他端に連接部分１２が設けられ、接合部分は駆動部分に脱着可能であり、接合部分の連接部分から遠ざかった一端に止め縁１５が設けられている。第２の受け工具は、軸線に沿って連接部分とカップリングし、駆動部分と連接可能な非円形外縁３１を有する。第１、第２の受け工具が軸線に垂直する全てのカップリング位置を回るときに、接合部分１１の輪郭と非円形外縁３１の輪郭は、軸線の方向において、不完全に重なり、非円形外縁が駆動部分２３に止められる。【選択図】図３
0003203711.tif 000002
【実用新案登録請求の範囲】
【請求項１】
一端に駆動部分が設けられているレンチと、
第１の受け工具と、第２の受け工具と、を備え、前記第１の受け工具は軸線を有し、前記第１の受け工具の前記軸線は、一端に接合部分が設けられており、他端に連接部分が設けられており、前記接合部分は前記駆動部分に脱着可能であり、前記接合部分の前記連接部分から遠ざかった一端に止め縁が設けられており、前記第２の受け工具は、前記軸線に沿って前記連接部分とカップリングし、非円形外縁を有し、前記非円形外縁は、前記駆動部分と連接可能な寸法を有する受け装置と、
前記第２の受け工具が前記軸線に垂直する全てのカップリング位置を回るときに、前記接合部分の輪郭と前記非円形外縁の輪郭は、前記軸線の方向において、互いに不完全に重なり、前記非円形外縁が前記駆動部分に止められる止め機構と、
を含むことを特徴とするレンチと受け装置のコンビネーション。
【請求項２】
前記接合部分と前記非円形外縁とは、六角形の断面形状を有するロッドであり、前記軸線に垂直する方向において、隣接する二つの端部角と前記軸線の繋ぎ線の開角は１５度であることを特徴とする請求項１に記載のレンチと受け装置のコンビネーション。
【請求項３】
前記第１の受け工具はアダプタであり、前記第２の受け工具はソケットであり、前記駆動部分は、第１のエッジと、前記第１のエッジの反対側に位置する第２のエッジと、を有し、前記第２の受け工具が前記連接部分とカップリングするときには、前記第２の受け工具の前記非円形外縁が前記駆動部分の前記第２のエッジに止められることを特徴とする請求項１に記載のレンチと受け装置のコンビネーション。
【請求項４】
前記止め機構は、前記接合部分の周縁に設けられている複数の接合面と、前記連接部分の周縁に設けられている複数の連接面と、を含み、各前記連接面とそれに隣接する各前記接合面と間には、０度以上の回転角を有することを特徴とする請求項３に記載のレンチと受け装置のコンビネーション。
【請求項５】
前記駆動部分は、多角穴状を呈し、その内縁に第１の内縁と第２の内縁とが環設されており、前記第１の内縁は前記第２の内縁より前記駆動部分の中心に近接し、前記第２の受け工具が前記連接部分とカップリングするときには、前記非円形外縁が前記第１の内縁に止められることを特徴とする請求項３又は４に記載のレンチと受け装置のコンビネーション。
【考案の詳細な説明】
【技術分野】
【０００１】
本考案は、レンチと受け装置のコンビネーションに係り、より詳しくは、使用中にレンチが受け装置により、止め受け可能であり、これにより、受け装置に対する上方または下方への移動を回避可能な、レンチと受け装置のコンビネーションに関する。
【背景技術】
【０００２】
図１は、従来のラチェットレンチとその付属品との構造を示す図であり、図２は、従来のラチェットレンチとその付属品のコンビネーションを示す図である。図示したとおり、従来のラチェットレンチとその付属品は、ラチェットレンチ１と、受け器２と、ソケット３と、を含む。受け器２は、六角形を呈する係合部４を有する。係合部４は、ラチェットレンチ１のラチェットリング５と係合するためのものである。受け器２の下端に設けられているＤ字形ヘッド６は、ラチェットリング５から突出してソケット３と嵌合が可能なため、ラチェットレンチ１は異なる寸法を有するボルトの回転を可能にする。係合部４の周縁に弾性部材が嵌め設けられていることにより、受け器２がラチェットリング５と結合するときには、受け器２とラチェットリング５の結合が安定する（例えは、特許文献１参照）。
【０００３】
しかし、ボルトを締め付けるときには、ラチェットレンチ１の工作方向がボルトに向き、弾性部材７だけでは、支持力が不足であるため、ラチェットレンチ１は受け器２に対して下方へ移動しやすい。これにより、ユーザはラチェットレンチ１を本来の位置に引き上げて使用することが必要であり、作業が極めて不便になる。また、弾性部材７は長期間使用されると、弾性疲労が蓄積するため、操作に悪影響を与える問題があった。
【０００４】
一方、ボルトからラチェットレンチ１を取り外す場合には、ソケット３がボルトに仮に齧り付くと、ラチェットレンチ１を上方に移動するときに、ラチェットレンチ１だけが受け器２から離脱しやすくなる。換言すると、ラチェットレンチ１を上方に移動しても、ソケット３と受け器２とがボルトと連接したままとなる。
【先行技術文献】
【特許文献】
【０００５】
【特許文献１】特開平０８−０５２６６１号公報
【考案の概要】
【考案が解決しようとする課題】
【０００６】
本考案の主な目的は、使用中に、レンチの第１の受け工具に対する上方または下方への移動を止めることが可能なレンチと受け装置のコンビネーションを提供することにある。
【課題を解決するための手段】
【０００７】
上記目的を達成するためになされた本考案のレンチと受け装置のコンビネーションは、一端に駆動部分が設けられているレンチと、第１の受け工具と、第２の受け工具と、を備え、第１の受け工具は軸線を有し、第１の受け工具の軸線は、一端に接合部分が設けられており、他端に連接部分が設けられており、接合部分は駆動部分に脱着可能であり、接合部分の連接部分から遠ざかった一端に止め縁が設けられており、第２の受け工具は、軸線に沿って連接部分とカップリングし、非円形外縁を有し、非円形外縁は、駆動部分と連接可能な寸法を有する受け装置と、第２の受け工具が軸線に垂直する全てのカップリング位置を回るときに、接合部分の輪郭と非円形外縁の輪郭は、軸線の方向において、互いに不完全に重なり、非円形外縁が駆動部分に止められる止め機構と、を含むことを特徴とする。
【０００８】
本考案のレンチと受け装置のコンビネーションは、接合部分と非円形外縁とは、六角形の断面形状を有するロッドであり、軸線に垂直する方向において、隣接する二つの端部角と軸線の繋ぎ線の開角は１５度であることを特徴とする。
本考案のレンチと受け装置のコンビネーションは、第１の受け工具はアダプタであり、第２の受け工具はソケットであり、駆動部分は、第１のエッジと、第１のエッジの反対側に位置する第２のエッジと、を有し、第２の受け工具が連接部分とカップリングするときには、第２の受け工具の非円形外縁が駆動部分の第２のエッジに止められることを特徴とする。
【０００９】
本考案のレンチと受け装置のコンビネーションによると、止め機構は、接合部分の周縁に設けられている複数の接合面と、連接部分の周縁に設けられている複数の連接面と、を含み、各連接面とそれに隣接する各接合面と間には、０度以上の回転角を有することを特徴とする。
本考案のレンチと受け装置のコンビネーションによると、駆動部分は、多角穴状を呈し、その内縁に第１の内縁と第２の内縁とが環設されており、第１の内縁は第２の内縁より駆動部分の中心に近接し、第２の受け工具が連接部分とカップリングするときには、非円形外縁が第１の内縁に止められることを特徴とする。
【考案の効果】
【００１０】
本考案のレンチと受け装置のコンビネーションによれば、使用中に、レンチの第１の受け工具に対する上方または下方への移動を止めることが可能になるという効果を有する。
【図面の簡単な説明】
【００１１】
【図１】従来のラチェットレンチとその付属品との構造を示す図である。
【図２】従来のラチェットレンチとその付属品のコンビネーションを示す図である。
【図３】本考案に係るレンチと受け装置のコンビネーションの構造を示す図である。
【図４】本考案に係る受け装置の第１の受け工具を示す下面図である。
【図５】本考案の使用状態を示す図であって、第１の受け工具がレンチと連接し、第２の受け工具が第１の受け工具とカップリングした状態を示す。
【図６】本考案に係るレンチを示す下面図であって、第２の受け工具がカップリング位置に位置し、第２の受け工具の非円形な外縁が駆動部分と噛合った状態を示す。
【図７】本考案に係るレンチを示す下面図であって、第２の受け工具が別のカップリング位置に位置し、第２の受け工具の非円形な外縁が駆動部分に噛合った状態を示す。
【考案を実施するための形態】
【００１２】
以下、本考案の実施の形態を図面に基づいて説明する。本考案の実施形態の図面における各部材の寸法は、説明を容易に理解するために示したものであって、実際の寸法を表すものではない。
【００１３】
図３は、本考案に係るレンチと受け装置のコンビネーションの構造を示す図であり、図４は、本考案に係る受け装置の第１の受け工具を示す下面図である。図示したとおり、本考案に係るレンチと受け装置のコンビネーションは、受け装置１００と、レンチ２００と、を含む。受け装置１００は、第１の受け工具１０と、第１の受け工具１０とカップリングすることが可能な第２の受け工具３０と、を含む。第１の受け工具１０は、レンチ２００に脱着することが可能である。第１の受け工具１０はアダプタである。第２の受け工具３０はソケットである。
本考案では、レンチ２００がラチェットレンチである。レンチ２００の一端には、第１の側面２０と、第１の側面２０の反対側に位置する第２の側面２１とが設けられている。第１の側面２０と第２の側面２１との間には、駆動部分２３が回転可能に設けられている。駆動部分２３はラチェットリングである。方向転換部材２２の制御により、駆動部分２３は時計方向または反時計方向へ回転可能である。駆動部分２３は、第１のエッジ２４と、第１のエッジ２４の反対側に位置する第２のエッジ２５（図５参照）と、を有する。第１のエッジ２４と第１の側面２０とは、同じ平面に位置する。第２のエッジ２５と第２の側面２１とは、同じ平面に位置する。もちろん、本考案に係るレンチ２００は、ラチェットレンチに限定されず、めがねレンチまたはそれに類似するレンチでもよい。例えばレンチ２００がめがねレンチである場合には、駆動部分２３が、めがねレンチの一部であり、ボルトと嵌合可能である。
【００１４】
駆動部分２３は、駆動部分２３を貫通する駆動空間２６を有する。駆動空間２６は、多角穴状を呈し、交錯に環設されている、複数の第１の内縁２６１と、複数の第２の内縁２６２と、を有する。第１の内縁２６１は第２の内縁２６２より駆動空間２６の中心に近接する。換言すると、第１の内縁２６１と駆動空間２６の中心との間の距離は、第２の内縁２６２と駆動空間２６の中心との間の距離より短い。本実施形態では、第１の内縁２６１と第２の内縁２６２との数量はそれぞれ１２個あり、これにより、駆動空間２６は十二角穴状を呈する。駆動空間２６の内面に弾性部材２７が嵌め設けられている。
第１の受け工具１０は軸線Ｘ（図５参照）を有する。軸線Ｘの一端に接合部分１１が設けられている。接合部分１１はレンチ２００の駆動部分２３の駆動空間２６に脱着可能である。結合時に、弾性部材２７は接合部分１１と接触することにより、結合が安定する。接合部分１１の高さは、駆動部分２３の第１のエッジ２４から第２のエッジ２５までの距離と同じである。
軸線Ｘの他端に連接部分１２が設けられている。連接部分１２は、第２の受け工具３０とカップリングするためのものであり、四角形の断面形状を有するロッドである。
【００１５】
第２の受け工具３０の一端に非円形外縁３１が設けられている。本実施形態では、非円形外縁３１が六つの端部角３２を有する。第２の受け工具３０の非円形外縁３１には、四角形を呈し連接部分１２とカップリングすることが可能な嵌合穴３３と、各端部角３２に環設されている係り溝３４とが設けられている。第２の受け工具３０の他端には、六角穴状を呈しボルトと嵌合する連接穴３５が設けられている。第２の受け工具３０は、軸線Ｘに沿って連接部分１２とカップリングすることが可能である。第２の受け工具３０の非円形外縁３１は、駆動部分２３の駆動空間２６と連接可能な寸法を有する。これにより、第２の受け工具３０はレンチ２００に脱着可能である。駆動空間２６に第２の受け工具３０の非円形外縁３１を結合した後、弾性部材２７が各係り溝３４と係合するため、駆動空間２６において第２の受け工具３０が安定的に位置決められ、レンチ２００はボルトを安定して回転可能となる。
止め機構は、第２の受け工具３０が軸線Ｘに垂直する全てのカップリング位置を回るときに、接合部分１１の輪郭と非円形外縁３１の輪郭は、軸線Ｘの方向において、互いに不完全に重なる。これにより、第２の受け工具３０の非円形外縁３１は、レンチ２００の駆動部分２３の第２のエッジ２５に止められる。このため、使用中に、レンチ２００の第１の受け工具１０に対する下方への移動が回避可能になる。
【００１６】
止め機構は、接合部分１１の周縁に設けられている複数の接合面１１１と、連接部分１２の周縁に設けられている複数の連接面１２１と、を含む。各連接面１２１とそれに隣接する各接合面１１１と間には、０度以上の回転角θを有する。本実施形態では、回転角θが３０度より小さく、図４に示したとおり、１５度であることが好ましい。本実施形態では、接合部分１１が六角形の断面形状を有するロッドであり、接合面１１１が六つあり、連接面１２１が四つある。各連接面１２１は、図４に示すように、二つの接合面１１１と、隣接する二つの接合面１１１の間に設けられているコーナー部とに対応する。各連接面１２１は、それに隣接する接合面１１１のより大きい範囲に対応し、それに隣接する接合面１１１との開角が回転角θである。連接面１２１は、それに隣接する接合面１１１に平行しないため、第２の受け工具３０に連接部分１２をカップリングした後、非円形外縁３１が一つ以上の第１の内縁２６１に止められる。もちろん、駆動部分２３の第１の内縁２６１が十二個あり、非円形外縁３１が六角形の断面形状を有するロッドである場合には、端部角３２が六つの第１の内縁２６１に止められる。図６及び図７に示したとおり、各端部角３２の二つの側縁の第１の内縁２６１に止められる長さは同じであることが好ましい。
【００１７】
第１の受け工具１０には、その縦方向に沿う操作ロッド１３が設けられている。連接部分１２の外面に係り玉１４が設けられている。操作ロッド１３を押圧することにより、第２の受け工具３０に対して係り玉１４を固定し、又は解放することが可能である。
第１の受け工具１０の接合部分１１の連接部分１２から離れた一端には、リング状を呈する止め縁１５が設けられている。止め縁１５の直径は、駆動空間２６の内径より大きい。レンチ２００に第１の受け工具１０を結合するときには、接合部分１１の高さが駆動部分２３の第１のエッジ２４から第２のエッジ２５までの距離と同じであり、止め縁１５がレンチ２００の第１のエッジ２４に当接するが、もちろん、本考案はこれらに限定されない。
【００１８】
図５は、本考案の使用状態を示す図であって、第１の受け工具がレンチと連接し、第２の受け工具が第１の受け工具とカップリングした状態を示す。図示したとおり、ボルトを締め付けた後、レンチ２００をボルトから引き上げる場合には、第２の受け工具３０がボルトに仮に齧り付いても、レンチ２００を上方に移動するときに、レンチ２００が止め縁１５に止められるため、第１の受け工具１０と第２の受け工具３０とをボルトから同時に取り外すことができる。換言すると、第１の受け工具１０と第２の受け工具３０とがボルトと結合し、レンチ２００だけが離脱することを避けることができる。
図６は、本考案に係るレンチを示す下面図であって、第２の受け工具がカップリング位置に位置し、第２の受け工具の非円形な外縁が駆動部分に噛合った状態を示す。また、図７は、本考案に係るレンチを示す下面図であって、第２の受け工具が別のカップリング位置に位置し、第２の受け工具の非円形な外縁が駆動部分に噛合った状態を示す。第２の受け工具３０は、図６及び図７に示したとおり、異なるカップリング位置に位置し、第２の受け工具３０が何れかのカップリング位置に位置しても、接合部分１１の輪郭と非円形外縁３１の輪郭は、軸線の方向において、互いに不完全に重なる。これにより、接合部分１１と非円形外縁３１とが六角形の断面形状を呈するロッドである場合には、軸線Ｘに垂直な方向において、隣接する二つの端部角と軸線の繋ぎ線の開角は１５度である。このように、第２の受け工具３０の非円形外縁３１が駆動部分２３に止められることにより、レンチ２００が接合部分１１に対して下方へ移動することを避けることができる。
【００１９】
これにより、受け装置１００の第２の受け工具３０は、何れのカップリング位置に位置しても、レンチ２００を止めることができる。このため、ボルトを回転する過程中には、レンチ２００が第１の受け工具１０に対して下方へ移動することを回避することが可能であり、レンチ２００の操作が便利となる。
また、第１の受け工具１０の止め縁１５による止め効果により、ボルトからレンチ２００を離脱するときに、第１の受け工具１０と第２の受け工具３０とがレンチ２００と共に、ボルトから離脱することが可能であり、レンチ２００が第１の受け工具１０から離脱することを防止することができる。
【００２０】
以上のとおり、本考案の好ましい実施例について説明したが、これらの実施例は、説明のために示したものであり、本考案を限定するものではなく、この分野に通常の知識を有する者であれば、本考案の要旨および実用新案登録請求の範囲を逸脱することなく、ここで開示された実施例に変更、追加、または、削除することができることは自明である。
【産業上の利用可能性】
【００２１】
本考案は、レンチに適用することができる。
【符号の説明】
【００２２】
１  ラチェットレンチ
２  受け器
３  ソケット
４  係合部
５  ラチェットリング
６  Ｄ字形ヘッド
７、２７  弾性部材
１０  第１の受け工具
１１  接合部分
１２  連接部分
１３  操作ロッド
１４  係り玉
１５  止め縁
２０  第１の側面
２１  第２の側面
２２  方向転換部材
２３  駆動部分
２４  第１のエッジ
２５  第２のエッジ
２６  駆動空間
３０  第２の受け工具
３１  非円形外縁
３２  端部角
３３  嵌合穴
３４  係り溝
３５  連接穴
１００  受け装置
１１１  接合面
１２１  連接面
２００  レンチ
２６１  第１の内縁
２６２  第２の内縁
Ｘ  軸線
θ  回転角
【図１】
0003203711.tif 000003
【図２】
0003203711.tif 000004
【図３】
0003203711.tif 000005
【図４】
0003203711.tif 000006
【図５】
0003203711.tif 000007
【図６】
0003203711.tif 000008
【図７】
0003203711.tif 000009